(57)【要約】【課題】機能差を補って利便性を向上させることのできる画像処理装置を提供する。【解決手段】画像情報に関する処理を行う処理手段（画像関連処理部１００）と、実行される処理に関する設定情報を取得する取得手段（ジョブパラメータ取得部１０１）と、取得された処理に関する設定情報を解析する解析手段（ジョブパラメータ解析部１０２）と、該解析手段による解析結果に応じて、処理に関する設定情報を他の代替処理に関する設定情報に変換する変換手段（ジョブパラメータ変換部１０３）と、該変換手段で変換された他の代替処理に関する設定情報に基づいて処理手段に関する制御を行う制御手段（制御部１０４）とを備える。【選択図】図１
2011061378.tif 000002
【特許請求の範囲】
【請求項１】
画像情報に関する処理を行う処理手段と、
該処理手段で実行される処理に関する設定情報を取得する取得手段と、
該取得手段で取得された前記処理に関する設定情報を解析する解析手段と、
該解析手段による解析結果に応じて、前記処理に関する設定情報を他の代替処理に関する設定情報に変換する変換手段と、
該変換手段で変換された前記他の代替処理に関する設定情報に基づいて前記処理手段に関する制御を行う制御手段と、
を備えることを特徴とする画像処理装置。
【請求項２】
前記取得手段は、
前記処理に関する設定情報を通信手段を介して外部から取得することを特徴とする請求項１に記載の画像処理装置。
【請求項３】
前記解析手段は、
前記処理に関する設定情報が、当該画像処理装置が備える前記処理手段で対応可能か否かを判定し、
前記変換手段は、
前記解析手段で、対応不能と判定された場合には、当該画像処理装置が備える前記処理手段で実行し得る内容に前記処理に関する設定情報を他の代替処理に関する設定情報に変換することを特徴とする請求項１または請求項２の何れかに記載の画像処理装置。
【請求項４】
画像を読み取る読取手段と、
該読取手段で読み取った画像について文字認識を行う文字認識手段と、
をさらに備え、
前記取得手段は、前記文字認識手段の文字認識結果に基づいて前記処理に関する設定情報を取得することを特徴とする請求項１から請求項３の何れかに記載の画像処理装置。
【請求項５】
前記処理に関する設定情報を入力する入力手段をさらに備え、
前記取得手段は、前記入力手段で入力された前記処理に関する設定情報を取得することを特徴とする請求項１から請求項３の何れかに記載の画像処理装置。
【請求項６】
前記他の代替処理に関する設定情報についての指示を報知する報知手段をさらに備えることを特徴とする請求項１から請求項５の何れかに記載の画像処理装置。
【請求項７】
請求項１から請求項６の何れかに記載の少なくとも１の画像処理装置と、
通信手段を介して前記画像処理装置と接続される少なくとも１の情報処理装置と、
から構成されることを特徴とする画像処理システム。
【請求項８】
画像情報に関する処理を行う処理過程と、
該処理過程で実行される処理に関する設定情報を取得する取得過程と、
該取得過程で取得された前記処理に関する設定情報を解析する解析過程と、
該解析過程による解析結果に応じて、前記処理に関する設定情報を他の代替処理に関する設定情報に変換する変換過程と、
該変換過程で変換された前記他の代替処理に関する設定情報に基づいて制御を行う制御過程と、
を演算手段に実行させることを特徴とする処理プログラム。
【発明の詳細な説明】
【技術分野】
【０００１】
本発明は、画像処理装置、画像処理システムおよび処理プログラムに関するものである。
【背景技術】
【０００２】
従来から、複合機、プリンタやスキャナ等の画像処理装置（デバイス）について、デバイスの機能を利用する際に参照するジョブパラメータ（処理に関する設定情報）の共有化に関する技術が種々提案されている。
【０００３】
例えば、特開２００３−２２４６９６号公報には、複合機の各種機能設定をネットワーク接続された端末から行えるようにすると共に、この機能設定処理操作を自動化する技術が開示されている。
【０００４】
この従来技術では、複合機の制御パネル表示環境をダウンロードして、複合機の制御パネルと同様な表示環境を端末のディスプレイ上に形成し、また各種機能設定操作の手順を予めプログラムしてメモリに格納しておき、所定のアクセスコードが入力されると対応したプログラムが実行されて所定の機能設定が自動的に実行されるようになっている。
【０００５】
また、特開２００４−３２８２７６号公報には、ユーザが画像形成装置の操作部においてユーザ専用の操作画面を利用する際の作業効率の向上を図る技術が開示されている。
【０００６】
この従来技術では、複合機は、ユーザが入力画面から所望の機能を入力すると、機能判定部はその機能を有するか否かを判定し、自装置が有しないと判定した場合には、機能検索部はサーバに登録される装置情報を参照し、ネットワーク上の装置から機能を有する画像形成装置を検索し、検索された画像形成装置の位置をユーザに知らせるためのメッセージを表示して指示を促し、画像処理装置はその指示に従うようになっている。
【０００７】
また、特開平８−２７４９１５号公報には、指定された単語の認識を正確かつ短時間で行えるようにする技術が開示されている。
【０００８】
この従来技術では、文字を認識するＯＣＲ（Ｏｐｔｉｃａｌ  Ｃｈａｒａｃｔｅｒ  Ｒｅａｄｅｒ）処理部と、認識した文字の原稿上の位置座標を記憶し、座標に存在する文字列のみを辞書検索する辞書検索手段と、辞書検索手段により辞書検索された訳語データを作画して出力する作画部を備えている。
【先行技術文献】
【特許文献】
【０００９】
【特許文献１】特開２００３−２２４６９６号公報
【特許文献２】特開２００４−３２８２７６号公報
【特許文献３】特開平８−２７４９１５号公報
【発明の概要】
【発明が解決しようとする課題】
【００１０】
本発明は、機能差を補って利便性を向上させることのできる画像処理装置、画像処理システムおよび処理プログラムを提供することを目的とする。
【課題を解決するための手段】
【００１１】
前記課題を解決するため、請求項１の発明に係る画像処理装置は、画像情報に関する処理を行う処理手段と、該処理手段で実行される処理に関する設定情報を取得する取得手段と、該取得手段で取得された前記処理に関する設定情報を解析する解析手段と、該解析手段による解析結果に応じて、前記処理に関する設定情報を他の代替処理に関する設定情報に変換する変換手段と、該変換手段で変換された前記他の代替処理に関する設定情報に基づいて前記処理手段に関する制御を行う制御手段とを備えることを特徴とする。
【００１２】
請求項２の発明に係る画像処理装置は、請求項１に記載の発明について、前記取得手段は、前記処理に関する設定情報を通信手段を介して外部から取得することを特徴とする。
【００１３】
請求項３の発明に係る画像処理装置は、請求項１または請求項２の何れかに記載の発明について、前記解析手段は、前記処理に関する設定情報が、当該画像処理装置が備える前記処理手段で対応可能か否かを判定し、前記変換手段は、前記解析手段で、対応不能と判定された場合には、当該画像処理装置が備える前記処理手段で実行し得る内容に前記処理に関する設定情報を他の代替処理に関する設定情報に変換することを特徴とする。
【００１４】
請求項４の発明に係る画像処理装置は、請求項１から請求項３の何れかに記載の発明について、画像を読み取る読取手段と、該読取手段で読み取った画像について文字認識を行う文字認識手段とをさらに備え、前記取得手段は、前記文字認識手段の文字認識結果に基づいて前記処理に関する設定情報を取得することを特徴とする。
【００１５】
請求項５の発明に係る画像処理装置は、請求項１から請求項３の何れかに記載の発明について、前記処理に関する設定情報を入力する入力手段をさらに備え、前記取得手段は、前記入力手段で入力された前記処理に関する設定情報を取得することを特徴とする。
【００１６】
請求項６の発明に係る画像処理装置は、請求項１から請求項５の何れかに記載の発明について、前記他の代替処理に関する設定情報についての指示を報知する報知手段をさらに備えることを特徴とする。
【００１７】
請求項７の発明に係る画像処理システムは、請求項１から請求項６の何れかに記載の少なくとも１の画像処理装置と、通信手段を介して前記画像処理装置と接続される少なくとも１の情報処理装置とから構成されることを特徴とする。
【００１８】
請求項８の発明に係る処理プログラムは、画像情報に関する処理を行う処理過程と、該処理過程で実行される処理に関する設定情報を取得する取得過程と、該取得過程で取得された前記処理に関する設定情報を解析する解析過程と、該解析過程による解析結果に応じて、前記処理に関する設定情報を他の代替処理に関する設定情報に変換する変換過程と、該変換過程で変換された前記他の代替処理に関する設定情報に基づいて制御を行う制御過程とを演算手段に実行させることを特徴とする。
【発明の効果】
【００１９】
本発明によれば以下の効果を奏することができる。
【００２０】
すなわち、請求項１に記載の発明によれば、変換された他の代替処理に関する設定情報に基づいて制御を行い機能差を補って利便性を向上させることのできる画像処理装置を提供することができる。
【００２１】
請求項２に記載の発明によれば、処理に関する設定情報を外部から取得して利便性をより向上させることのできる画像処理装置を提供することができる。
【００２２】
請求項３に記載の発明によれば、処理に関する設定情報が当該画像処理装置が備える処理手段で対応可能か否かを判定し、変換された他の代替処理に関する設定情報に基づいて制御を行い機能差を補って利便性をより向上させることのできる画像処理装置を提供することができる。
【００２３】
請求項４に記載の発明によれば、文字認識結果に基づいて処理に関する設定情報を取得して利便性をより向上させることのできる画像処理装置を提供することができる。
【００２４】
請求項５に記載の発明によれば、入力された処理に関する設定情報を取得して利便性をより向上させることのできる画像処理装置を提供することができる。
【００２５】
請求項６に記載の発明によれば、他の代替処理に関する設定情報についての指示を報知して利便性をさらに向上させることのできる画像処理装置を提供することができる。
【００２６】
請求項７に記載の発明によれば、変換された他の代替処理に関する設定情報に基づいて制御を行い機能差を補って利便性を向上させることのできる画像処理システムを提供することができる。
【００２７】
請求項８に記載の発明によれば、変換された他の代替処理に関する設定情報に基づいて制御を行い機能差を補って利便性を向上させることのできる処理プログラムを提供することができる。
【図面の簡単な説明】
【００２８】
【図１】実施の形態に係る画像形成システムＳ１の構成を示す機能ブロック図である。
【図２】実施の形態に係る画像形成システムＳ１の構成を示すブロック図である。
【図３】複合機ＰＲ１の構成を示すブロック図である。
【図４】スキャナＳＣ１の構成を示すブロック図である。
【図５】基本処理の処理手順を示すフローチャートである。
【図６】ジョブパラメータ処理の処理手順を示すフローチャートである。
【図７】共有ジョブパラメータの例を示す説明図である。
【図８】共有ジョブパラメータの他の例を示す説明図である。
【図９】ジョブパラメータ処理の他の処理手順を示すフローチャートである。
【図１０】自機機能構成表の例を示す表である。
【図１１】ジョブパラメータ処理の他の処理手順を示すフローチャートである。
【図１２】自機機能構成表の例を示す表である。
【図１３】ジョブパラメータ処理の他の処理手順を示すフローチャートである。
【図１４】代行リストの例を示す表である。
【図１５】変換後のジョブパラメータの例を示す説明図である。
【図１６】ジョブパラメータ処理の他の処理手順を示すフローチャートである。
【図１７】自機機能構成表の例を示す表である。
【図１８】高機能提案後のジョブパラメータの例を示す説明図である。
【発明を実施するための形態】
【００２９】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
図１から図１８を参照して、本発明についての実施の形態に係る画像処理システムＳ１について説明する。
【００３１】
画像処理システムＳ１は、図１および図２に示すように、ＬＡＮ等のネットワークＮを介して接続されて画像情報の関する処理を行う３台の画像処理装置（複合機ＰＲ１、プリンタＰＲ２、スキャナＳＣ１）と、印刷データの出力等を行うパーソナルコンピュータ等で構成される情報処理装置ＰＣ１と、ジョブパラメータ（処理に関する設定情報の一例）の共有を行うジョブパラメータ共有サーバＳＡ１とから構成されている。
【００３２】
なお、画像処理装置、情報処理装置およびジョブパラメータ共有サーバの接続数は任意である。
【００３３】
ジョブパラメータ共有サーバＳＡ１には、図２に例示するように、請求書のジョブパラメータＪ１、議事録のジョブパラメータＪ２などがハードディスク装置等の記憶装置に格納され、ネットワークＮを介して必要に応じて読み出され、複数の画像処理装置によって共用される。
【００３４】
次に、図１を参照して、画像処理装置の一種としての複合機ＰＲ１の構成について説明する。
【００３５】
複合機ＰＲ１は、プリンタ機能、スキャナ機能、ファクシミリ機能等の複数の機能を備えたデバイスである。
【００３６】
図１に示す例では、複合機ＰＲ１は、画像情報（画像データ）に関する処理（特には限定されないが、画像データに基づく印刷処理、原稿を読み取るスキャン処理、文字認識を行うＯＣＲ処理、複写を行うコピー処理、印刷文書に対する後処理（ステープル処理、パンチ処理など）等）を行う画像関連処理部１００（処理手段の一例）と、画像関連処理部１００で実行される処理に関するジョブパラメータ（処理に関する設定情報の一例）を取得するジョブパラメータ取得部１０１（取得手段の一例）と、ジョブパラメータ取得部１０１で取得されたジョブパラメータを解析するジョブパラメータ解析部１０２（解析手段の一例）と、ジョブパラメータ解析部１０２による解析結果に応じて、前記ジョブパラメータを他の代替処理に関するジョブパラメータに変換するジョブパラメータ変換部１０３（変換手段の一例）と、ジョブパラメータ変換部１０３で変換された他の代替処理に関するジョブパラメータに基づいて画像関連処理部１００に関する制御を行うマイクロコンピュータ等で構成される制御部１０４（制御手段の一例）とを備える。
【００３７】
また、原稿等の画像を読み取るスキャン部１０５（読取手段の一例）と、スキャン部１０５で読み取った画像について文字認識を行うＯＣＲ（Ｏｐｔｉｃａｌ  Ｃｈａｒａｃｔｅｒ  Ｒｅａｄｅｒ）部１０６（文字認識手段の一例）とを備え、ジョブパラメータ取得部１０１は、ＯＣＲ部１０６の文字認識結果（例えば、原稿に記載された「請求書」、「議事録」といった特定の文字列等）に基づいて所望のジョブパラメータを取得するようにしてもよい。
【００３８】
また、ジョブパラメータを入力する操作パネル等で構成されるジョブパラメータ入力部１０７（入力手段の一例）を備え、ジョブパラメータ取得部１０１は、ジョブパラメータ入力部１０７で入力されたジョブパラメータを取得するようにしてもよい。
【００３９】
また、前記他の代替処理に関するジョブパラメータについて、当該複合機ＰＲ１の使用者（ユーザ）に対する指示（例えば、複合機ＰＲ１がステープル機能やパンチ機能を有しない場合には、「印刷書類に対してステープル（パンチ）を所定の位置に行ってください」等の指示メッセージなど）を報知する液晶表示パネル等で構成される指示報知部１０８（報知手段の一例）を備える。
【００４０】
なお、ジョブパラメータ取得部１０１は、ジョブパラメータをネットワークＮを介して外部（本実施の形態では、ジョブパラメータ共有サーバＳＡ１）から取得するようにしてもよい。
【００４１】
また、ジョブパラメータ解析部１０２は、ジョブパラメータが、当該複合機ＰＲ１が備える画像関連処理部１００で対応可能か否かを判定し、ジョブパラメータ変換部１０３は、ジョブパラメータ解析部１０２で、対応不能と判定された場合には、当該複合機ＰＲ１が備える画像関連処理部１００で実行し得る内容に前記ジョブパラメータを他の代替処理に関するジョブパラメータに変換する。
【００４２】
例えば、画像関連処理部１００が、モノクロ印刷処理機能しか備えない場合に、ジョブパラメータでカラー印刷が設定されていた場合には、代替処理としてカラー印刷処理に代えてモノクロ印刷を指示するようにジョブパラメータを変換する。
【００４３】
これにより、画像処理システムＳ１に存在する画像処理装置間の機能差を補って利便性が向上される。
【００４４】
なお、図３に示すように、複合機ＰＲ１は、図１に示す構成に加えて、ネットワークＮを介したデータの送受信を行うネットワーク処理部２００、印刷処理を行う印刷部２０１、ジョブパラメータを格納して他の画像処理装置との間でジョブパラメータを共用させるジョブパラメータ共有部２０２等を備えるようにしてもよい。
【００４５】
なお、本発明と直接関係しない構成部材については図示および説明を省略する。
【００４６】
また、ジョブパラメータ共有部２０２に格納されたジョブパラメータは、ネットワークＮを介して他の画像処理装置（プリンタＰＲ２、スキャナＳＣ１）からアクセスさせたり、複合機ＰＲ１側から他の画像処理装置（プリンタＰＲ２、スキャナＳＣ１）に対して送信することにより共用される。
【００４７】
画像処理装置の一種としてのスキャナＳＣ１も複合機ＰＲ１と同様の構成（図１参照）を備える。
【００４８】
また、図４に示すように、ネットワークＮを介したデータの送受信を行うネットワーク処理部３００、ジョブパラメータを格納して他の画像処理装置との間でジョブパラメータを共用させるジョブパラメータ共有部３０３等を備えるようにしてもよい。
【００４９】
また、画像処理装置の一種としてのプリンタＰＲ２は、複合機ＰＲ１の構成（図１参照）からスキャン部１０５、ＯＣＲ部１０６を省略した構成としてもよい。
【００５０】
次に、図５のフローチャートを参照して、上記構成の画像処理システムＳ１で実行される基本処理の処理手順について説明する。
【００５１】
ステップＳ１０で、利用者（ユーザ）は、複合機ＰＲ１のスキャン部１０５に処理をしたい原稿をセットし、複合機ＰＲ１のスタートボタンを操作する。
【００５２】
ステップＳ１１で、スキャン部１０５によるスキャン開始とＯＣＲ部１０６によるＯＣＲ（文字認識）処理を行ってステップＳ１２に移行する。
【００５３】
ステップＳ１２では、共通（共用）ジョブパラメータは有るか否かが判定され、「Ｙｅｓ」の場合にはステップＳ１５に移行して、ジョブパラメータ共有サーバＳＡ１から受け取ったジョブパラメータを画像関連処理部１００で自動実行して処理を終了する。
【００５４】
一方、ステップＳ１２で「Ｎｏ」の場合には、ステップＳ１３に移行して、指示報知部１０８としての液晶表示パネルにジョブフロー選択画面を表示してステップＳ１４に移行する。
【００５５】
ステップＳ１４では、利用者に選択されたジョブフローを実行して処理を終了する。
【００５６】
次に、図６のフローチャートを参照して、画像処理システムＳ１で実行されるジョブパラメータ処理の処理手順について説明する。
【００５７】
ステップＳ２０では、ジョブパラメータ共有部２０２、３０３に格納されている共有ジョブパラメータの確認を開始してステップＳ２１に移行する。
【００５８】
ステップＳ２１では、ネットワークＮを介して通知されたデバイス（情報処理装置）を記録してステップＳ２２に移行する。
【００５９】
ステップＳ２２では、画像処理装置（複合機ＰＲ１、プリンタＰＲ１、スキャナＳＣ１）あるいは情報処理装置ＰＣ１から通知された文字列（入力された文字列およびＯＣＲ部１０６で文字認識された文字列を含む）を判断してステップＳ２３に移行する。
【００６０】
ステップＳ２３では、文字列に「請求書」が含まれるか否かが判定され、「Ｙｅｓ」の場合にはステップＳ２８に移行する。
【００６１】
ステップＳ２８では、請求書のジョブパラメータを返信準備してステップＳ２６に移行する。
【００６２】
ここで、請求書のジョブパラメータは、例えば図７に示すような構成が挙げられる。
【００６３】
即ち、図７の例によれば、請求書のジョブパラメータに従って、実行ジョブ１として指定された送付先に文字モードでファクシミリ（ＦＡＸ）を送付し、その後、実行ジョブ２としてＡ４用紙に白黒で３部コピーを出力するという処理を行うこととなる。
【００６４】
一方、ステップＳ２３で「Ｎｏ」と判定された場合にはステップＳ２４に移行して、文字列に「議事録」が含まれるか否かが判定される。
【００６５】
判定結果が「Ｙｅｓ」の場合にはステップＳ２９に移行して、議事録のジョブパラメータを返信準備してステップＳ２６に移行する。
【００６６】
ここで、議事録のジョブパラメータは、例えば図８に示すような構成が挙げられる。
【００６７】
即ち、図８の例によれば、議事録のジョブパラメータに従って、実行ジョブ１として指定された宛先にスキャンデータをＰＤＦファイル形式に変換してＥメール（電子メール）を送付し、その後、複合機ＰＲ１内部の議事録ディレクトリにスキャンデータを保存するという処理を行うこととなる。
【００６８】
また、ステップＳ２４で「Ｎｏ」と判定された場合にはステップＳ２５に移行して、ジョブパラメータがないことを通知する返信準備をしてステップＳ２６に移行する。
【００６９】
ステップＳ２６では、取得された各情報をジョブパラメータ共有サーバＳＡ１に送信して処理を終了する。
【００７０】
次に、図９のフローチャートを参照して、複合機ＰＲ１で実行されるジョブパラメータ処理の処理手順について説明する。
【００７１】
ステップＳ３０では、ジョブパラメータ共有サーバＳＡ１からネットワークＮ経由でジョブパラメータを受信してステップＳ３１に移行する。
【００７２】
ステップＳ３１では、ジョブパラメータと自機の機能構成表（例えば、図１０に例示するように複合機ＰＲ１における各種機能の有無を示すテーブル）を比較してステップＳ３２に移行する。
【００７３】
ステップＳ３２では、ジョブパラメータを実行可能か否かが判定され、「Ｎｏ」の場合にはそのまま処理を終了し、「Ｙｅｓ」の場合にはステップＳ３３に移行する。
【００７４】
ステップＳ３３では、ジョブパラメータ共有サーバＳＡ１から受け取ったジョブパラメータを自動実行して処理を終了する。
【００７５】
即ち、例えば、前出の図７の「請求書」のジョブパラメータや図８の「議事録」のジョブパラメータである場合には、図１０の機能構成表との比較において不足する機能はないので、ステップＳ３３に従って自動実行されることとなる。
【００７６】
次に、図１１のフローチャートを参照して、スキャナＳＣ１で実行されるジョブパラメータ処理の処理手順について説明する。
【００７７】
ステップＳ４０では、ジョブパラメータ共有サーバＳＡ１からネットワークＮ経由でジョブパラメータを受信してステップＳ４１に移行する。
【００７８】
ステップＳ４１では、ジョブパラメータと自機の機能構成表（例えば、図１２に例示するようにスキャナＳＣ１における各種機能の有無を示すテーブル）を比較してステップＳ４２に移行する。
【００７９】
ステップＳ４２では、ジョブパラメータを実行可能か否かが判定され、「Ｙｅｓ」の場合にはステップＳ４６に移行して、ジョブパラメータ共有サーバＳＡ１から受け取ったジョブパラメータを自動実行して処理を終了する。
【００８０】
また、「Ｎｏ」の場合にはステップＳ４３に移行して、代替案を作成する。
【００８１】
即ち、例えば、スキャナＳＣ１が、前出の図７および図８に示すような「請求書」、「議事録」のジョブパラメータを受信した場合は、「請求書」のジョブパラメータのＦＡＸが代替案となり、「議事録」のサーバ格納が代替案となる。
【００８２】
次いで、ステップＳ４４では、代替案の作成時に、操作パネル１０７に代替案の有無、キャンセルのどちらかの処理の選択を提示し、ステップＳ４５で自動実行が指示されたジョブを実行して処理を終了する。
【００８３】
これにより、利用者の合意のもとに代替案の実行が行われる。
【００８４】
次に、図１３のフローチャートを参照して、スキャナＳＣ１で実行される他のジョブパラメータ処理の処理手順について説明する。
【００８５】
この処理は、ジョブパラメータの実行が不可能なときの、代替案の作成処理フローになる。
【００８６】
ステップＳ５０では、ジョブパラメータの読込みを行い、ステップＳ５１で代行リスト（例えば、図１４に示すように、代行時の各種情報を登録したリスト）を読み込んでステップＳ５２に移行する。
【００８７】
ステップＳ５２では、ジョブパラメータの書き換えを行い、ステップＳ５３ですべて終了したか否かが判定される。
【００８８】
「Ｙｅｓ」の場合には処理を終了し、「Ｎｏ」の場合にはステップＳ５０に戻る。
【００８９】
即ち、本処理では、代替案の作成に、予め登録されている代行リスト（図１４参照）を利用し、代行リストは、操作パネル１０７で登録される。
【００９０】
スキャナＳＣ１に対してＣｏｐｙ（コピー）機能が指示された場合には、代行リストに記載されたプリンタにスキャン画像を送出するジョブパラメータに変更する。
【００９１】
そして、例えばＦＡＸ機能が指示された場合には、代行リストに記載された「利用者への作業指示書」を作成し、ＦＡＸトップシートを出力先プリンタ情報に従って出力するジョブパラメータに変更する。
【００９２】
利用者は「利用者への作業指示書」に従って、ＦＡＸトップシートと原稿で手動ＦＡＸを実施する。
【００９３】
また、蓄積機能が指示された場合には、代行リストに記載されたバックアップサーバ（図１等には図示されていない）にスキャン画像を蓄積するジョブパラメータに変更する。
【００９４】
図１５には、上述のようにして変換したジョブパラメータの例を示す。
【００９５】
図１５（ａ）は、「請求書」のジョブパラメータについての変換例、（ｂ）は、「議事録」のジョブパラメータについての変換例を示す。
【００９６】
このように本実施の形態に係る画像処理システムＳ１によれば、ジョブの定型処理を目的に、サーバで共通利用しているジョブパラメータを機能が異なるデバイス間で共通利用する場合に、機能が不足するデバイスが自機の機能よりも高機能なジョブパラメータを受信した際に、代替案を提案することで対応機能に差のあるデバイスでも共通処理の実現がされる。
【００９７】
次に、図１６のフローチャートを参照して、画像処理システムＳ１で実行される他のジョブパラメータ処理の処理手順について説明する。
【００９８】
この例では、ジョブパラメータ共有サーバＳＡ１からジョブパラメータを受け取った後、複合機ＰＲ１のパラメータ共有部で行われるジョブパラメータの実行に関数確認処理について別の動作を述べる。
【００９９】
ステップＳ６０では、ジョブパラメータ共有サーバＳＡ１からジョブパラメータを受信してステップＳ６１に移行する。
【０１００】
ステップＳ６１では、ジョブパラメータと自機の機能構成表（例えば、図１７に示すように複合機ＰＲ１における各種機能の有無を示すテーブル）とを比較してステップＳ６２に移行する。
【０１０１】
ステップＳ６２では、高機能提案可能か否かが判定され、「Ｎｏ」の場合にはステップＳ６６に移行して、ジョブパラメータ共有サーバＳＡ１から受け取ったジョブパラメータを自動実行して処理を終了する。
【０１０２】
また、ステップＳ６２で「Ｙｅｓ」と判定された場合にはステップＳ６３に移行して、高機能提案の作成を行う。
【０１０３】
即ち、例えば図７の「請求書」ジョブパラメータでは、３部のコピー処理が含まれている。
【０１０４】
このジョブパラメータにはステープラの指示はないが、複合機ＰＲ１の機能構成表（図１７参照）にはステープラ「あり」という情報が含まれている。
【０１０５】
そこで、この処理では、機能構成表から与えられたジョブパラメータに対して、さらに高度な処理が可能なパラメータを探し、見つかった場合には利用者にその利用の有無を提案する。
【０１０６】
従って、ここに示す例では、コピーの３部コピーに対してステープラ処理を行うかどうか等を指示報知部１０８に表示して利用者に提示してステップＳ６５に移行する。
【０１０７】
ステップＳ６５では、高機能が選択された場合にはそのジョブを実行して処理を終了する。
【０１０８】
なお、高機能が選択されなかった場合には、元のジョブパラメータに従った処理が行われる。
【０１０９】
図１８には、高機能化を実施した結果、書き換えが発生したジョブパラメータの例を示す。
【０１１０】
これにより、ジョブの定型処理を目的にサーバで共通利用しているジョブパラメータを、機能が異なるデバイス間で共通利用する場合に、高機能なデバイスが自機の機能を使いこなしていないジョブパラメータを受信した際に、高機能化の代替案を提案することで対応機能に差のあるデバイスでも共通処理が実現される。
【０１１１】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１１２】
また、プログラムを用いる場合には、ネットワークを介して提供し、或いはＣＤ−ＲＯＭ等の記録媒体に格納して提供することが可能である。
【０１１３】
即ち、画像処理プログラムを含む所定のプログラムを記録媒体としてのハードディスク等の記憶装置に記録する場合に限らず、当該所定のプログラムを次のようにして提供することも可能である。
【０１１４】
例えば、所定のプログラムをＲＯＭに格納しておき、ＣＰＵが、この所定のプログラムをこのＲＯＭから主記憶装置へローディングして実行するようにしてもよい。
【０１１５】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１１６】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１１７】
本発明による画像処理装置、画像処理システムおよび処理プログラムは、スキャナ装置、スキャナ装置を備えるプリンタや複合機等に適用することができる。
【符号の説明】
【０１１８】
Ｓ１  画像処理システム
ＰＲ１  複合機
ＰＲ２  プリンタ
ＳＣ１  スキャナ
ＰＣ１  情報処理装置
ＳＡ１  ジョブパラメータ共有サーバ
Ｎ  ネットワーク
１００  画像関連処理部
１０１  ジョブパラメータ取得部
１０２  ジョブパラメータ解析部
１０３  ジョブパラメータ変換部
１０４  制御部
１０５  スキャン部
１０６  ＯＣＲ部
１０７  ジョブパラメータ入力部
１０８  指示報知部
２００  ネットワーク処理部
２０１  印刷部
２０２  ジョブパラメータ共有部
３００  ネットワーク処理部
３０３  ジョブパラメータ共有部
【図１】
2011061378.tif 000003
【図２】
2011061378.tif 000004
【図３】
2011061378.tif 000005
【図４】
2011061378.tif 000006
【図５】
2011061378.tif 000007
【図６】
2011061378.tif 000008
【図７】
2011061378.tif 000009
【図８】
2011061378.tif 000010
【図９】
2011061378.tif 000011
【図１０】
2011061378.tif 000012
【図１１】
2011061378.tif 000013
【図１２】
2011061378.tif 000014
【図１３】
2011061378.tif 000015
【図１４】
2011061378.tif 000016
【図１５】
2011061378.tif 000017
【図１６】
2011061378.tif 000018
【図１７】
2011061378.tif 000019
【図１８】
2011061378.tif 000020